(57)【要約】ＣＤＭＡコード化のための効率的なスキームは、既存の短い系列（４１０，４２０）の集合から連結により、より長いコード系列（４３０）を生成することによるコードを構築する。系列は、拡散系列、スクランブリング系列及び／又はトレーニング系列、推定（ミッドアンブル等）系列であることが可能である。本発明は、従来の適合フィルタ、マルチユーザ検出器又は適合フィルタ／等化器を用いることにより所望の信号の検出を改善するために系列持続時間の拡張、及び、最適な所望の特性を有する系列の消耗的調査を実行することなく、系列の拡張を可能にする。
2006505168.tif 000002
【特許請求の範囲】
【請求項１】
スペクトル拡散通信システムにおいて所定の長さの系列を生成するための構成であって：
前記の所定の長さより短い長さを有する複数の所定の系列；
前記の複数の所定の系列の少なくとも２つを選択するための手段；及び
前記の所定の長さの系列を生成するために、前記の複数の所定の系列の前記の選択された少なくとも２つを連結するための手段；
から構成されることを特徴とする構成。
【請求項２】
請求項１に記載の構成であって：
前記の複数の所定の系列はインデックス化されたリストにおいて配列されている；
構成であり、前記の選択のための手段は：
前記リストからインデックス値ｎを有する前記の複数の所定の系列の前記の少なくとも２つの第１系列を選択するための手段；及び
前記リストから前記の所定の選択された系列のインデックス値からインクリメントされたインデックス値を用いて、前記の複数の所定の系列の前記の少なくとも２つの各々の続く系列を選択するための手段；
から構成される、ことを特徴とする構成。  
【請求項３】
請求項２に記載の構成であって、前記インクリメントは所定の整数である、ことを特徴とする構成。
【請求項４】
請求項３に記載の構成であって、前記所定の整数は０、１及び２の１つである、ことを特徴とする構成。
【請求項５】
請求項２に記載の構成であって、前記インクリメントは各々の続く系列に対してランダムに選択される、ことを特徴とする構成。
【請求項６】
請求項２乃至５のいずれ一項に記載の構成であって、ｎは次のＡ乃至Ｆであって：
Ａ  初期のセルパラメータ割り当て；
Ｂ  システムフレーム数（ＳＦＮ）；
Ｃ  送信のチップレート；
Ｄ  拡散コードの所定の長さ；
Ｅ  前記の所定の長さの拡散コードを用いて拡散されたデータの意図された受信器の識別子；及び
Ｆ  使用されるチャネル化コード；
の少なくとも１つから決定される、ことを特徴とする構成。
【請求項７】
請求項１乃至６のいずれ一項に記載の構成であって、前記の複数の所定の系列は１６個のチップの長さを有する、ことを特徴とする構成。
【請求項８】
請求項１乃至７のいずれ一項に記載の構成であって、前記スペクトル拡散通信システムはＤＳ−ＣＤＭＡ  ＵＭＴＳシステムから構成される、ことを特徴とする構成。
【請求項９】
請求項８に記載の構成であって、前記スペクトル拡散通信システムはＵＴＲＡ  ＴＤＤシステムから構成される、ことを特徴とする構成。
【請求項１０】
請求項１乃至８のいずれ一項に記載の構成であって、系列は：
拡散系列；
スクランブリング系列；及び
ミッドアンブル；
の１つである、ことを特徴とする構成。
【請求項１１】
請求項１乃至９のいずれ一項に記載の構成であって：
所定の長さの系列を有するデータを処理するための手段；
から更に構成される、ことを特徴とする構成。
【請求項１２】
スペクトル拡散通信システムにおいて所定の長さの系列を生成する方法であって：
前記の所定の長さより短い長さを有する複数の所定の系列を供給する段階；
前記の複数の所定の系列の少なくとも２つを選択する段階；及び
前記の所定の長さの系列を生成するために、前記の複数の所定の系列の前記の選択された少なくとも２つを連結する段階；
から構成されることを特徴とする構成。
【請求項１３】
請求項１２に記載の方法であって：
前記の供給する段階は、インデックス化されたリストにおける前記の複数の所定の系列を供給する手順から構成され；
前記の選択する段階は：
前記リストからインデックス値ｎを有する前記の複数の所定の系列の前記の少なくとも２つの第１系列を選択する段階；及び
前記リストから前記の所定の選択された系列のインデックス値からインクリメントされたインデックス値を用いて、前記の複数の所定の系列の前記の少なくとも２つの各々の続く系列を選択する段階；
から構成される、ことを特徴とする方法。  
【請求項１４】
請求項１３に記載の方法であって、前記インクリメントは所定の整数である、ことを特徴とする方法。
【請求項１５】
請求項１４に記載の方法であって、前記所定の整数は０、１及び２の１つである、ことを特徴とする方法。
【請求項１６】
請求項１３に記載の方法であって、前記インクリメントは各々の続く系列に対してランダムに選択される、ことを特徴とする方法。
【請求項１７】
請求項１２乃至１６のいずれ一項に記載の方法であって、ｎは次のＡ乃至Ｆであって：
Ａ  初期のセルパラメータ割り当て；
Ｂ  システムフレーム数（ＳＦＮ）；
Ｃ  送信のチップレート；
Ｄ  拡散コードの所定の長さ；
Ｅ  前記の所定の長さの拡散コードを用いて拡散されたデータの意図された受信器の識別子；及び
Ｆ  使用されるチャネル化コード；
の少なくとも１つから決定される、ことを特徴とする方法。
【請求項１８】
請求項１乃至６のいずれ一項に記載の方法であって、前記の複数の所定の系列は１６個のチップの長さを有する、ことを特徴とする方法。
【請求項１９】
請求項１２乃至１７のいずれ一項に記載の方法であって、前記スペクトル拡散通信システムはＤＳ−ＣＤＭＡ  ＵＭＴＳシステムから構成される、ことを特徴とする方法。
【請求項２０】
請求項１９に記載の方法であって、前記スペクトル拡散通信システムはＵＴＲＡ  ＴＤＤシステムから構成される、ことを特徴とする方法。
【請求項２１】
請求項１２乃至２０のいずれ一項に記載の方法であって：
所定の長さの系列を有するデータを処理する段階；
から更に構成される、ことを特徴とする方法。
【請求項２２】
ＣＤＭＡシステムで用いる基地局であって、請求項１乃至１１のいずれ一項に記載の構成から構成される、ことを特徴とする基地局。
【請求項２３】
請求項１２乃至２１のいずれ一項に記載の方法を実質的に実行するためのコンピュータプログラム手段から構成されることを特徴とするコンピュータプログラム要素。
【請求項２４】
請求項１乃至１１のいずれ一項に記載の構成を実質的に構成することを特徴とする集積回路。
【発明の詳細な説明】
【技術分野】
【０００１】
本発明は、スペクトル拡散通信システムに関し、特に（しかし、排他的ではなく）、直接系列（ＤＳ）スペクトル拡散無線通信システムに関する。
【背景技術】
【０００２】
符号分割多元接続（ＣＤＭＡ）におけるようなＤＳスペクトル拡散無線通信において、送信のための信号は周波数ドメインにおいて拡散される。それ故、同じ情報は、周波数ドメインにおいて多様性の、あるレベルを与える、異なる（広い）帯域幅に対して送信される。そのような通信方法の利点は、送信された信号は、帯域限定干渉及び周波数選択性フェージングに対してより回復力があることである。
【０００３】
信号の拡散は、送信信号のシンボルより速い速度で変化するコード又は系列により送信信号の各々のシンボル又は連続シンボルの各々の集合を変調することにより達成される。典型的には、ＤＳ−ＣＤＭＡシステムにおいて、長い拡散波形は擬似ランダム系列から選択され、又は、十分短い場合、拡散波形は、ある最適性基準に従って選択されることができる。より長い系列は、それらの優れた相関特性のために好ましい一方、典型的には、より短い系列が、送信及び受信アルゴリズム並びに関連ハードウェアの結果として得られる容易さのために用いられる。短い系列のデザインのための方法の例としては、系列は良好な自動相関特定を示すように、又は、系列の対が好ましい相互関係を示すように、系列が選択されることが可能であるが、この方法に限定されるものではない。これは、典型的には、好ましい属性を有する系列を選択するために、好ましい長さの有効な系列全てに対する調査を必要とする。必要な各々の新しい拡散長に対して、新しい調査が、好ましい最適性基準を満足する系列について必要である。
【０００４】
しかしながら、この方法は、良好な拡散波形系列が好ましい属性を有する系列を選択するために好ましい長さの有効な系列全てに対する調査を必要とするため、及び、必要な各々の新しい拡散長に対して、新しい調査が好ましい最適性基準を満足する系列について必要とされるために、より長い系列長はデザインする上で非効率である。
【０００５】
それ故、上記の欠点が軽減される可能性がある、効率的なスペクトル拡散コード構成に対する要請が存在している。
【発明の開示】
【課題を解決するための手段】
【０００６】
本発明の第１の特徴に従って、請求項１に記載しているように、スペクトル拡散通信システムにおける所定の長さの系列を生成するための構成を提供する。
【０００７】
本発明の第２の特徴に従って、請求項１２に記載しているように、スペクトル拡散通信システムにおける所定の長さの系列を生成する方法を提供する。
【０００８】
本発明は、より短い系列からより長い系列の効率的な生成を可能にする。これは、好ましい長さの系列の広範な調査に対する要求を軽減する利点を有する。本発明は、オリジナルの系列より長い持続時間を有する拡張系列の集合を導き出すために系列の集合を用いる、いずれの目的に対して適切である。本発明は、ＴＤ−ＣＤＭＡシステムに提供可能であり、特に、ＵＴＲＡのＴＤＤモードの種々のチップレートに提供可能である。拡張された長さの拡散系列、スクランブリング系列及びシャネル推定系列又はミッドアンブルを生成することに本方法を適用することが可能であるが、これに限定されるものではないことを、読者は理解するであろう。
【０００９】
本発明の実施形態に組み込まれる効率的なＣＤＭＡコード構成スキームについて、以下、添付図面を参照して、単に例示として説明する。
【発明を実施するための最良の形態】
【００１０】
最初に図１を参照するに、典型的で標準的なＵＭＴＳ無線接続ネットワーク（ＵＴＲＡＮ）システム１００は：端末／ユーザ機器ドメイン１１０；ＵＭＴＳ地上無線接続ネットワークドメイン１２０；及び、インフラストラクチャドメイン１３０；から構成されると、都合よく、みなされる。
【００１１】
端末／ユーザ機器ドメイン１１０においては、端末機器（ＴＥ）１１０Ａは、有線又は無線Ｒインタフェースを介してユーザのモバイル機器（ＭＥ）１１０Ｂに接続される。ＭＥ１１０Ｂは又、ユーザサービス識別モジュール（ＵＳＩＭ）１１０Ｃに接続される。ＭＥ１１０Ｂ及びＵＳＩＭ１１０Ｃは共に、ユーザ機器（ＵＥ）１１０Ｄとみなされる。ＵＥ１１０Ｄは、無線Ｕｕインタフェースを介して無線接続ネットワークドメイン（１２０）におけるノードＢ（基地局）１２０Ａとデータを通信する。ネットワーク無線アクセスネットワークドメイン１２０において、ノードＢ１２０Ａは、Ｉｕｂインタフェースを介して無線ネットワーク制御器（ＲＮＣ）１２０Ｂと通信する。ＲＮＣ１２０Ｂは、Ｉｕｒインタフェースを介して他のＲＮＣ（図示せず）と通信する。ノードＢ１２０Ａ及びＲＮＣ１２０Ｂは共に、ＵＴＲＡＮ１２０Ｃを構成する。ＲＮＣ１２０Ｂは、Ｉｕインタフェースを介してコアネットワークドメインにおけるサービングＧＰＲＳサービスノード（ＳＧＳＮ）１３０Ａと通信する。コアネットワークドメイン１３０において、ＳＧＳＮ１３０ＡはＧｎインタフェースを介してゲートウェイＧＰＲＳサポートノード１３０Ｂと通信する。ＳＧＳＮ１３０Ａ及びＧＧＳＮ１３０Ｂは、Ｇｒインタフェース及びＧｃインタフェースそれぞれを介してホームロケーションレジスタ（ＨＬＲ）サーバ１３０Ｃと通信する。ＧＧＳＮ１３０ＢはＧｉインタフェースを介して公衆データネットワーク１３０Ｄと通信する。
【００１２】
このようにして、要素ＲＣＮ１２０Ｂ、ＳＧＳＮ１３０Ａ及びＧＧＳＮ１３０Ｂが、図１に示すように、無線接続ネットワークドメイン（１２０）及びコアネットワークドメイン（１３０）において分割される離散的な別個のユニットとして、好都合に提供される。
【００１３】
ＲＮＣ１２０Ｂは、多数のノードＢ  １２０Ｂの資源の割当及び制御のために責任を負っているＵＴＲＡＮ要素である。典型的には、５０乃至１００個のノードＢが１つのＲＮＣにより制御されることが可能である。ＲＮＣは又、エアインタフェースに対してユーザトラヒックの信頼性高い供給を提供する。ＲＮＣは、ハンドオーバを支援するために互いに（Ｉｕｒインタフェースを介して）通信する。
【００１４】
ＳＧＳＮ１３０Ｎは、ＨＬＲへのインタフェースおよびセッション制御に対して責任を負うＵＭＴＳコアネットワーク要素である。ＳＧＳＮは個々のＵＥの位置のトラッキングをし続け、セキュリティ機能及び接続制御を実行する。ＳＧＳＮは、多くのＲＮＣのための大きい集中制御器である。
【００１５】
ＧＧＳＮ１３０Ｂは、最終目的（例えば、インターネットサービスプロバイダ−ＩＳＰ）へのコアパケットネットワークにおいて、ユーザデータを集め、トンネリングすることに対して責任を負うＵＭＴＳコアネットワーク要素である。
【００１６】
そのようなＵＴＲＡＮシステム及びその動作については、ｗｗｗ．３ｇｐｐ．ｏｒｇの３ＧＰＰウェブサイトから利用可能である、３ｒｄＧｅｎｅｒａｔｉｏｎ  Ｐａｒｔｎｅｒｓｈｉｐ  Ｐｒｏｊｅｃｔ  ｔｅｃｈｎｉｃａｌ  ｓｐｅｃｉｆｉｃａｔｉｏｎ  ｄｏｃｕｍｅｎｔ  ３ＧＰＰ  ＴＳ  ２３．０６０及び関連文書において更に十分に記載されており、ここで更に詳細に説明することは省略する。
【００１７】
ＵＭＴＳ地上無線接続（ＵＴＲＡ）の時分割複信（ＴＤＤ）モードのような時分割コード分割多元接続（ＴＤ−ＣＤＴＭ）システムにおいては、拡散波形は、チャネル化コード及びスクランブリングコードの組み合わせとみなされ、典型的には、短く、周期的であり、それ故、各々のシンボル又は連続シンボルの集合は同じ拡散波形により変調される。例えば、図２においては、データシンボルは対にグループ化され、出力系列を構成するために、持続時間の８個のチップの拡散系列により変調される（シンボル及び拡散系列は、｛−１，＋１｝のセットから値を得るように限定されていないことを特記しておく必要がある）。図２Ａは、データシンボルの波形を示している。図２Ｂは、拡散系列の波形を示している。そして、図２Ｃは、図２Ｂの拡散波形により図２Ａのデータシンボルの拡散から結果として得られる拡散シンボルの波形を示している。この場合の短い周期性の拡散系列は、主に、受信器において得られる実施の有利点によっている。例えば、多くのマルチユーザ又はジョイントディテクションアルゴリズム及び適合フィルタ実行は、拡散系列の長さ及び／又は周期性に敏感である。
【００１８】
更に具体的には、ＵＴＲＡ  ＴＤＤの高チップレート（１秒当たり３．８４メガチップ）モードにおいて、スクランブリングコードは、初期のセルパラメータ割り当て及び現在のシステムフレーム数に従って、１２８個の有効な系列から選択された１６個のチップの長さの系列である。偶数のシステムフレーム数を有するフレームにおいては、スクランブリングコードは、初期のセルパラメータ割り当てに等しい。奇数のシステムフレーム数を有するフレームにおいては、スクランブリングコードは、初期のセルパラメータ割り当てが偶数の場合には初期のセルパラメータ割り当てプラス１として選択され、初期のセルパラメータ割り当てが奇数の場合には初期のセルパラメータ割り当てマイナス１として選択される。スクランブリングコードが、用いられるチャネル化コードに依存する１、２、４、８又は１６個のシンボルのどれかをスパンすることが可能である。それ故、このシステムにおいては、拡散コードは、チャネル化コード及びスクランブリングコードの複合とみなすことができる。
【００１９】
３ＧＰＰ  ＴＤＤシステムにおける信号の拡散については、ｗｗｗ．３ｇｐｐ．ｏｒｇの３ＧＰＰウェブサイトから利用可能である、３ＧＰＰ  ｔｅｃｈｎｉｃａｌ  ｓｐｅｃｉｆｉｃａｔｉｏｎ  ｄｏｃｕｍｅｎｔ  ３ＧＰＰ  ＴＳ  ２３．２２３、‘Ｓｐｒｅａｄｉｎｇ  ａｎｄ  Ｍｏｄｕｌａｔｉｏｎ（ＴＤＤ）’に詳細に記載されており、ここでは、更に詳細に説明することは省略する。
【００２０】
下で、更に詳細に説明するように、本発明は、新しい系列の好ましい長さに従って、２つ又はそれ以上の短い系列を連結することにより、短い系列からより長い系列の生成のためのフレキシブルな方法（上記の先行技術の方法に代えて）に基づいている。新しい拡張された系列は、自動又は相互関係特性のような通常の基準のいずれに関して、必ずしも最適ではないが、それらは、他のアプリケーションに対して拡張することができる系列の既存の集合を再使用する確かな有利性を有している。この方法の単純さは、新しいアプリケーションのための既存のハードウェアの再使用を可能にし、好ましい長さの系列の新しく、消耗的な調査の必要性を軽減する。即ち、新しい系列の生成のために記憶し、ハードウェア／ソフトウェアを実行することの代わりに、短い系列の生成のために既存のハードウェア／ソフトウェアを用いる単純なアルゴリズムを実行することが可能である。
【００２１】
連結において用いられる短い系列の数は、新しい系列の好ましい長さに依存する。連結のための系列の選択はフレキシブルであることが可能であり、デザインルールの単純な集合に従って選択されることが可能である。例えば、Ｎ個の短い系列の集合が存在する場合、より長い系列が必要とされる度に、初期のインデックスｎのＮが選択される（あるルールに従って）。次いで、新しい系列の好ましい長さに従って、連結が、例えば、短い系列ｎ及びｎ＋１（系列長の二倍に対して）、ｎ、ｎ＋１、ｎ＋２（系列長の三倍に対して）及びｎ、ｎ＋１、ｎ＋２、ｎ＋３（系列長の四倍に対して）から生成されることが可能である。いずれのポイントにおいて、インデックスｎ＋ｘ（あるｘに対して）が短い系列の数Ｎを上回る場合、インデックスは、短いコードのリストのはじめに戻されることが可能であり、それ故、（ｎ＋ｘ）ｍｏｄｕｌｏ  Ｎは、短い系列のリストに対するインデックスが０からＮ−１まで実行される、短い系列のリストに対するインデックスとして用いられる。
【００２２】
連結のために短い系列を選択する場合に、毎回、インデックスが１だけインクリメントされる必要はない。それは、実際、０を含むいずれの整数だけインクリメントされることが可能である。例えば、系列長を二倍にする場合には、短いコードｎ及びｎ＋ｙ（ここでは、ｙ≧１）を連結することが可能である。それ故、系列長を三倍にする場合には、短いコードｎ、ｎ＋ｙ及びｎ＋２ｙを連結することが可能であり、系列長を四倍にする場合には、短いコードｎ、ｎ＋ｙ、ｎ＋２ｙ及びｎ＋３ｙを連結することが可能である。インクリメントインデックスは一定に限定されず、実際には、ランダムであることが可能であることが更に理解できる。例えば、系列長を三倍にすることにより、ｚが必ずしもｙの倍数である必要がない、短い系列ｎ，ｎ＋ｙ，ｎ＋ｚの連結により選択されることが可能である。
【００２３】
上記のように、拡散系列の拡張スキームは動作のために次の２つの機構を必要とする。
１．既存の短い拡散系列の集合。
２．それらがより長い拡散系列を構成するように連結されることが可能であるように、その集合から多くの短い拡散系列を選択するためのアルゴリズム。
【００２４】
下で理解できるであろうように、系列拡張スキームは、生成されたコードを有する拡散データ、又は拡張チャネルの推定系列として用いられる又は生成されたコードを有するスクランブルデータに対して他の目的のために用いられる系列を生成するために、ＵＥ及び／又はノードＢにおいて利用されることが可能である。
【００２５】
上記方法の更に具体的な例としては、ＵＴＲＡ高チップレートＴＤＤモードにおいて指定されるスクランブリング系列の長さを拡張することが可能であるが、それに限定されるものではない。そのような拡張は、指定されたチップレートに適用されることが可能であり、又は、例えば、ＴＤＤモードが現在の指定における複数のチップレートにおいて動作されるようになっている場合に必要とされることが可能である。このシナリオにおけるスクランブリングコードの長さを拡張することにより、相互関係を改善し、それ故、特性所望の信号の検出に役立つ。スクランブリングコード長は連結により拡張されたが、それはバーストの長さに対して短いままであり、又、周期性のままである（可能性のある多くのシンボルに対してではあるが）。このことは、これらの特性に依存する複雑さが低減されたマルチユーザ検出器及び適合フィルタのような受信器アルゴリズムが動作することができることを意味する。
【００２６】
図３においては、本発明の好適な実施形態に従った拡散構成３００を示している。その構成においては、スクランブリングコード選択アルゴリズム３１０は、初期のセルパラメータ割当、ＳＦＮ等のような入力パラメータを受信する。スクランブリングコード選択アルゴリズム３１０は、既存の短い系列３２０の集合からスクランブリングコードを選択する。スクランブリングチップ系列を生成するために、選択されたスクランブリングコードは連結器３３０において結合され、結果として得られた結合系列は乗算器３４０に適用され、その乗算器に入力チップ系列が又、適用される。連結器３３０は選択された系列の各々を連続的に適用するために簡単に機能することが可能であることを理解されるであろう。
【００２７】
３ＧＰＰ  ＴＤＤの現在の標準化においては、スクランブリングコード選択アルゴリズムはバーストの持続時間に対して一定のままである、即ち、バーストにおける１６個のチップ毎に、同じスクランブリングコードが選択される。この好適な本発明の実施形態においては、このアルゴリズムの期間は、１６個のチップの倍数であって、即ち、１、２、３４倍等に増加される、このようにして、初期のスクランブリングコードの選択がｎである場合、アルゴリズムは、バーストの過程の間に、次のように１６個のチップの長さのスクランブリングコードを選択する期間４と共に用いられることが可能である。
【００２８】
（ｎ，ｎ＋１，ｎ＋２，ｎ＋３，ｎ，ｎ＋１，ｎ＋２，ｎ＋３，ｎ，ｎ＋１，ｎ＋２，ｎ＋３，．．．）
しかしながら、上記のように、そのアルゴリズムは、毎回、１だけスクランブリングコードインデックスをインクリメントすることに限定されるのもではなく、例えば、本発明の他の実施形態においては、バーストの過程の間に、次のように１６個のチップの長さのスクランブリングコードを選択する。
【００２９】
（ｎ，ｎ＋２，ｎ＋４，ｎ＋６，ｎ，ｎ＋２，ｎ＋４，ｎ＋６，ｎ，ｎ＋２，ｎ＋４，ｎ＋６，．．．）
このように、この実施形態の重要な特徴は、１６個の長さの既存のスクランブリングコードの連結による、スクランブリングコードの持続時間の拡張である。代替として、これは、図３におけるスクランブリングコード選択アルゴリズムの期間の拡張とみなすことができる。
【００３０】
図３に示すようなスクランブリングコード選択アルゴリズムは多くの入力パラメータにより駆動されることができる。これらのパラメータは次の事項の幾つか又は全てを含むことが可能であるが、このリストに限定されるものではない。
１．初期のセルパラメータ割り当て
２．システムフレーム数（ＳＦＮ）
３．送信のチップレート
４．拡張拡散及び／又はスクランブリング系列の長さ
５．ユーザ機器（ＵＥ）識別子
６．使用されるチャネル化コード
上記の系列を生成する方法は、基地局（ノードＢ）又はＵＥにおける処理器（図示せず）において実行されるソフトウェアで実行されることが可能である、そのソフトウェアは、磁気又は光コンピュータディスクのようないずれの適切なデータキャリア（図示せず）において搬送されるコンピュータプログラム要素として提供されることが可能である、ことが理解されるであろう。
【００３１】
上記の系列を生成する方法は、代替として、ハードウェアであって、例えば、ノードＢ又はＵＥにおけるＡＳＩＣ（特定用途向け集積回路）又はＦＰＧＡ（フィールドプログラマブルゲートアレイ）のような集積回路（図示せず）の形で実行されることが可能である、ことが理解されるであろう。
【００３２】
上記の効率的なＣＤＭＡ系列構築スキームは、例えば、拡散系列、スクランブリング系列、若しくはチャネル推定又はトレーニング系列（例えば、ミッドアンブル）のようないずれの系列に適用されることが可能である。
【００３３】
図４を又、参照するに、本発明の第２の好適な実施形態は、チャネル推定の目的のためのトレーニング系列の連結に関する。図４に示すように、長さＭのトレーニング系列Ｘ４１０は、長さＭ＋Ｎの新しいトレーニング系列Ｚ４３０を生成するために、長さＮの他のトレーニング系列Ｙ４２０と連結される。トレーニング系列Ｘはトレーニング系列Ｙと同じであることが可能であり、その連結は２つの既存のトレーニング系列に限定されることなく、チャネル推定又はトレーニング系列のいずれの正の整数であることが可能であることが、勿論、理解できるであろう。
【００３４】
トレーニング系列は、チャネル推定器の出力において、改善されたキャリア対干渉（Ｃ／Ｉ）比（干渉は、干渉及びバックグラウンドノイズを含むとみなされる）をもたらすより長い又は拡張されたトレーニング系列を生成するために連結されることが可能である。明らかに、既存のより短いトレーニング系列を用いて、より長い系列を生成するためにそれらを連結することの優位性は、デザインの簡単さの点で尚も応用することができ、既存のハードウェア、ソフトウェア、ＲＯＭ等を利用することができる。
【００３５】
上記の方法は、２つのトレーニング系列の連結に限定されるものではなく、いずれのトレーニング系列の数を連結することができることが、理解できるであろう。更に、連結について用いられるトレーニング系列の一部又は全てが互いに同じであることが可能であることが、理解できるであろう。トレーニング系列が同じである場合に、チャネル推定器の出力において結合されるソフトは、Ｃ／Ｉにおける付加ゲインを実現するために実行される。
【００３６】
既存のトレーニング系列の全体の長さは、連結処理において必ずしも用いられる必要がないことであることを、更に特記しておく。例えば、トレーニング系列が周期的に拡張される基本系列から構成される場合、基本系列は、連結に対する既存のトレーニング系列として用いられることが可能である。
【００３７】
上記の効率的なＣＤＭＡ系列構築スキームは次のような優位性を提供することができることが、理解されるであろう。
●  最適な所望の特性を有する系列の消耗的調査を実行することなく、系列の拡張を行う。
●  既存のハードウェア／ソフトウェア／ＲＯＭ等を使用することができる系列持続時間を拡張する簡単な手段を提供し、簡単なプログラム可能又は固定された選択アルゴリズムの付加のみを必要とする。
●  従来の適合フィルタ、マルチユーザ検出器又は適合フィルタ／等化器を使用することにより、所望の信号の検出を改善するように系列持続時間を拡張する。
【図面の簡単な説明】
【００３８】
【図１】本発明において用いることが可能である３ＧＰＰ  ＵＴＲＡ無線通信システムを示す模式的なブロック図である。
【図２】直接系列のスペクトル拡散におけるデータシンボルの拡散を模式的に示す図である。
【図３】本発明の実施形態を組み込んだＵＴＲＡ  ＴＤＤにおけるスクランブリングコードの連結のための構成を示す模式的なブロック図である。
【図４】短いトレーニングコードの連結により拡張トレーニングコード（ミッドアンブル等）の生成を示す模式的なブロック図である。
【図１】
2006505168.tif 000003
【図２】
2006505168.tif 000004
【図３】
2006505168.tif 000005
【図４】
2006505168.tif 000006
【国際調査報告】
2006505168.tif 000007
2006505168.tif 000008
2006505168.tif 000009